(57)【特許請求の範囲】
【請求項１】
複数の交差する溝により区画される複数のブロック状の陸部をトレッド踏面部に備えた空気入りタイヤであって、
タイヤ赤道面を挟んでタイヤ軸方向両側に配置されタイヤ軸方向中央部分にタイヤ周方向に沿って延びる周方向リブを形成する一対の周方向広幅溝と、
タイヤ赤道面を挟んでタイヤ軸方向両側に配置され前記周方向広幅溝のタイヤ軸方向外側に配置される一対の周方向幅狭溝と、
タイヤ赤道面を挟んで両側に設けられ、トレッド端から少なくとも前記周方向幅広溝に開口するように延び、少なくともタイヤ中央区域ではタイヤ周方向に対する傾斜角度が４０°〜９０°の範囲内でタイヤ周方向に対して傾斜し、かつ傾斜方向がタイヤ赤道面を挟んでタイヤ軸方向の一方側と他方側とでは逆方向である複数の横断溝と、
前記周方向広幅溝と前記周方向狭幅溝と前記横断溝とによって区画される略菱形の菱形陸部と、
前記菱形陸部を略二分するように設けられ、タイヤ赤道面を挟んでタイヤ軸方向の同じ側では前記横断溝とは反対方向に傾斜する副溝と、
を有し、
前記横断溝は、全長に渡って実質上直線状に形成され、かつ同一角度で傾斜していることを特徴とする空気入りタイヤ。
【請求項２】
前記横断溝のタイヤ軸方向内側端部は、前記周方向リブ内で終端していることを特徴とする請求項１に記載の空気入りタイヤ。
【請求項３】
前記横断溝の側壁表面形状は、複数屈曲して溝長手方向に延びる屈曲部分と、直線状に溝長手方向に延びる直線部分と、が交互に設けられていることを特徴とする請求項１又は２に記載の空気入りタイヤ。
【請求項４】
前記横断溝の溝幅は、少なくともタイヤ赤道面側がトレッド端側よりも狭いことを特徴とする請求項１乃至請求項３の何れか１項に記載の空気入りタイヤ。
【請求項５】
前記副溝のタイヤ周方向に対する傾斜角度は、３０°〜７０°の範囲内であることを特徴とする請求項１乃至請求項４の何れか１項に記載の空気入りタイヤ。
【請求項６】
前記周方向幅狭溝は、前記横断溝間では直線状に延び、かつ、タイヤ周方向に対する角度が０°〜２０°の範囲内であり、タイヤ周方向に対して傾斜させる場合には、タイヤ赤道面側の端部から接地するようにタイヤ赤道面を挟んで一方の側と他方の側とでは、互いに反対方向に傾斜していることを特徴とする請求項１乃至請求項５の何れか１項に記載の空気入りタイヤ。
【請求項７】
前記周方向幅広溝のタイヤ軸方向外側溝壁は、タイヤ赤道面側の端部から接地するようにタイヤ赤道面を挟んで一方の側と他方の側とでは互いに反対方向に傾斜していることを特徴とする請求項１乃至請求項６の何れか１項に記載の空気入りタイヤ。
【請求項８】
前記副溝はタイヤ赤道面側で前記周方向幅広溝に連結しており、
前記周方向幅広溝は、前記副溝との連結部分で最も幅広に形成されていることを特徴とする請求項７に記載の空気入りタイヤ。
【請求項９】
前記副溝の溝幅は、前記横断溝の前記中央区域での溝幅に対して同等以上であることを特徴とする請求項１乃至請求項８の何れか１項に記載の空気入りタイヤ。
【発明の詳細な説明】
【０００１】
【発明の属する技術分野】
本発明は空気入りタイヤに係り、特に、氷雪上性能に優れた空気入りタイヤに関する。
【０００２】
【従来の技術】
冬用空気入りタイヤ、いわゆるスタッドレスタイヤは、図３に示すようなトレッドパターンが代表的なものであり、トレッド１０８に周方向に連続したジグザグ状に延びる周方向溝１００、直線状に延びる周方向溝１０２とタイヤ軸方向に延びる横溝１０４のそれぞれによって複数の陸部１０６を形成したパターンが一般的である。
【０００３】
【発明が解決しようとする課題】
従来品では、トレッド中央区域からトレッド端区域まで、ほぼ均等にブロックを配し、ブロックにほぼ均等にサイプを配していたが、氷上性能、雪上性能ともトラクション方向は良いが、横方向には弱かった。
【０００４】
氷上性能を高めるためにはネガティブ率を下げ、雪上性能を高めるにはネガティブ率を上げることが有効であり、氷上性能と雪上性能とは二律背反の関係にあった。
【０００５】
従来品では、中央区域からトレッド端区域までほぼ均等に雪上性能を向上させる溝配分となっている。
【０００６】
本発明は上記事実を考慮し、トレッドの溝形状を最適化し、雪上性能も氷上性能もバランス良く向上させ、かつトラクション方向、横方向性能共に向上させることのできる空気入りタイヤを提供することが目的である。
【０００７】
【課題を解決するための手段】
請求項１に記載の発明は、複数の交差する溝により区画される複数のブロック状の陸部をトレッド踏面部に備えた空気入りタイヤであって、タイヤ赤道面を挟んでタイヤ軸方向両側に配置されタイヤ軸方向中央部分にタイヤ周方向に沿って延びる周方向リブを形成する一対の周方向広幅溝と、タイヤ赤道面を挟んでタイヤ軸方向両側に配置され前記周方向広幅溝のタイヤ軸方向外側に配置される一対の周方向幅狭溝と、タイヤ赤道面を挟んで両側に設けられ、トレッド端から少なくとも前記周方向幅広溝に開口するように延び、少なくともタイヤ中央区域ではタイヤ周方向に対する傾斜角度が４０°〜９０°の範囲内でタイヤ周方向に対して傾斜し、かつ傾斜方向がタイヤ赤道面を挟んでタイヤ軸方向の一方側と他方側とでは逆方向である複数の横断溝と、前記周方向広幅溝と前記周方向狭幅溝と前記横断溝とによって区画される略菱形の菱形陸部と、前記菱形陸部を略二分するように設けられ、タイヤ赤道面を挟んでタイヤ軸方向の同じ側では前記横断溝とは反対方向に傾斜する副溝と、を有し、前記横断溝は、全長に渡って実質上直線状に形成され、かつ同一角度で傾斜していることを特徴としている。
【０００８】
次に、請求項１に記載の空気入りタイヤの作用を説明する。
【０００９】
請求項１に記載の空気入りタイヤでは、タイヤ周方向に対して傾斜する横断溝及び副溝の各々は、タイヤ赤道面を挟んでタイヤ軸方向の一方側と他方側とでは逆方向に傾斜しており、トレッドパターンがいわゆる方向性パターンとなっているので、高いウエット性能（ハイドロプレーニング性）が得られる。
【００１０】
一対の周方向幅広溝と周方向幅狭溝との組み合わせにより、雪上での高い直進安定性及びコーナリング性能が得られる。
【００１１】
トレッド端から周方向幅広溝に開口するように延びる横断溝を複数設けることによりトラクション性能を確保することができる。
【００１２】
また、横断溝のタイヤ周方向に対する傾斜角度を４０°〜９０°に設定することで、タイヤの踏み込みエッジを踏み込み形状（接地形状の輪郭線）に対してほぼ平行に設定することができ、これにより横断溝による食い込みが大となり、氷雪上での高いトラクション性能を得ることができる。
【００１３】
また、周方向広幅溝と周方向狭幅溝と横断溝とによって区画される菱形陸部を略二分する副溝により、ウエット時の排水性が確保されると共に、タイヤが接地する際に連続してエッジが接地面に突入するため、コーナリング時の高いトラクション性能が得られ、また、氷雪上での高いコーナリング性能が得られる。
【００１４】
また、直線溝と曲線溝を比較すると、溝面積が同じであれば、直線溝の方が絶対的な溝太さを太くできる。それにより、雪上でのブレーキ、トラクション性が有利となる。
【００１５】
なお、請求項１に記載の空気入りタイヤにおいて、横断溝のトレッド端区域におけるタイヤ周方向に対する傾斜角度は、中央区域での傾斜角度に対して同等以上に設定されていてもよい。これにより、トレッド端区域の偏摩耗を抑制することができる。
【００１６】
請求項２に記載の発明は、請求項１に記載の空気入りタイヤにおいて、前記横断溝のタイヤ軸方向内側端部は、前記周方向リブ内で終端していることを特徴としている。
【００１７】
次に、請求項２に記載の空気入りタイヤの作用を説明する。
【００１８】
横断溝のタイヤ軸方向内側端部を周方向リブ内で終端させたので、中央区域での剛性を確保した上で周方向リブが略ブロック化し、主に氷上での高いブレーキ性能及びトラクション性能が得られる。
【００１９】
なお、横断溝が周方向リブを完全に横断すると、中央区域の剛性が低下し過ぎる場合がある。
【００２０】
請求項３に記載の発明は、請求項１又は請求項２に記載の空気入りタイヤにおいて、前記横断溝の側壁表面形状は、複数屈曲して溝長手方向に延びる屈曲部分と、直線状に溝長手方向に延びる直線部分と、が交互に設けられていることを特徴としている。
【００２１】
次に、請求項３に記載の空気入りタイヤの作用を説明する。
【００２２】
横断溝の側壁に、直線部分と屈曲部分とを交互に設けた理由は、屈曲部分ばかりであるとコナーリング時のハイドロプレーニング性能を悪化させるためであり、直線部分と屈曲部分とを交互に設けて横方向のエッジ成分とバランスをとることによってコーナリング時のハイドロプレーニング性能の確保と雪上での耐横滑り性能の向上の両立を図ることができる。
【００２３】
請求項４に記載の発明は、請求項１乃至請求項３の何れか１項に記載の空気入りタイヤにおいて、前記横断溝の溝幅は、少なくともタイヤ赤道面側がトレッド端側よりも狭いことを特徴としている。
【００２４】
次に、請求項４に記載の空気入りタイヤの作用を説明する。
【００２５】
横断溝の溝幅をタイヤ赤道面側で狭くすることにより、接地圧の高いトレッド中央区域のネガティブ率が低くなり、これにより高い氷上ブレーキ性能を得ることができる。
【００２６】
請求項５に記載の発明は、請求項１乃至請求項４の何れか１項に記載の空気入りタイヤにおいて、前記副溝のタイヤ周方向に対する傾斜角度は、３０°〜７０°の範囲内であることを特徴としている。
【００２７】
次に、請求項５に記載の空気入りタイヤの作用を説明する。
【００２８】
副溝のタイヤ周方向となす傾斜角度を３０〜７０°の範囲内、好ましくは４５°に設定すると、副溝（１本当たり）が最も連続して接地面に突入し易い角度となり、トラクション時にも副溝が有効に働き、コーナリング時にも有効に働くことになり、前後、横性能とも両立することができる。
【００２９】
請求項６に記載の発明は、請求項１乃至請求項５の何れか１項に記載の空気入りタイヤにおいて、前記周方向幅狭溝は、前記横断溝間では直線状に延び、かつ、タイヤ周方向に対する角度が０°〜２０°の範囲内であり、タイヤ周方向に対して傾斜させる場合には、タイヤ赤道面側の端部から接地するようにタイヤ赤道面を挟んで一方の側と他方の側とでは、互いに反対方向に傾斜していることを特徴としている。
【００３０】
次に、請求項６に記載の空気入りタイヤの作用を説明する。
【００３１】
周方向幅狭溝の角度が０°のときは、この周方向幅狭溝の前後方向のエッジ成分は零だがショルダー部付近の陸部の耐偏摩耗性（いわゆるヒール・アンド・トウ摩耗性）が向上し、角度が２０°を越えると、タイヤ軸方向エッジ成分は増加するがショルダー部付近の陸部の耐偏摩耗性が若干低下する。したがって、周方向幅狭溝の角度を０〜２０°の範囲内に設定することにより、タイヤ軸方向エッジ成分の確保とショルダー部付近の耐偏摩耗性とを両立することができる。
【００３２】
請求項７に記載の発明は、請求項１乃至請求項６の何れか１項に記載の空気入りタイヤにおいて、前記周方向幅広溝のタイヤ軸方向外側溝壁はタイヤ赤道面側の端部から接地するようにタイヤ赤道面を挟んで一方の側と他方の側とでは、互いに反対方向に傾斜していることを特徴としている。
【００３３】
次に、請求項７に記載の空気入りタイヤの作用を説明する。
【００３４】
ウエット走行時、接地面内において周方向幅広溝内の水はタイヤ周方向に流れるが、タイヤ軸方向外側溝壁をタイヤ赤道面側の端部から接地するようにタイヤ赤道側の端部から接地するようにタイヤ赤道面を挟んで一方の側と他方の側とで反対方向に傾斜させると、水の流れの下流方向に向かって周方向幅広溝の溝幅が広がることになり、水がスムーズに流れ、ウエット走行時の排水性が向上する。
【００３５】
請求項６に記載の発明は、請求項７に記載の空気入りタイヤにおいて、前記副溝はタイヤ赤道面側で前記周方向幅広溝に連結しており、前記周方向幅広溝は、前記副溝との連結部分で最も幅広に形成されていることを特徴としている。
【００３６】
次に、請求項８に記載の空気入りタイヤの作用を説明する。
【００３７】
請求項８に記載の空気入りタイヤでは、接地面内において周方向幅広溝内の水はタイヤ周方向に流れるが、その一部は副溝を介してタイヤ軸方向外側へと排出される。ここで、周方向幅広溝は、水の流れの下流方向に向かって溝幅が広がっているが、請求項９の空気入りタイヤでは、副溝との連結部分で最も幅広に形成されているので、周方向幅広溝の水を副溝へスムーズに流すことができる。
【００３８】
請求項９に記載の発明は、請求項１乃至請求項８の何れか１項に記載の空気入りタイヤにおいて、前記副溝の溝幅は、前記横断溝の前記中央区域での溝幅に対して同等以上であることを特徴としている。
【００３９】
次に、請求項９に記載の空気入りタイヤの作用を説明する。
【００４０】
副溝の幅をトレッド中央区域内の横断溝の溝幅に対して同等以上とすることにより、副溝の排水性が向上して高いウエット性能が得られ、また、特に雪に対する食いつきが向上し、雪上での高いトラクション性能が得られる。
【００４１】
【発明の実施の形態】
本発明の空気入りタイヤの一実施形態を図１及び図２にしたがって説明する。
【００４２】
この図１において、矢印Ｌ方向及び矢印Ｒ方向はタイヤ軸方向、矢印Ａ方向はタイヤ回転方向、矢印Ｂ方向はタイヤの進行方向を示している。
【００４３】
図１に示すように、本実施形態の空気入りタイヤ１０のトレッド１２（トレッド幅Ｗ）には、タイヤ赤道面ＣＬを挟んでタイヤ軸方向両側にタイヤ周方向に沿って延びる周方向幅広溝１４が形成されており、周方向幅広溝１４のタイヤ軸方向外側には実質的にタイヤ周方向に沿って延びる周方向幅狭溝１６が形成されている。
【００４４】
また、トレッド１２には、図１の矢印Ｌ方向側のトレッド端１２Ｌ及び図１の矢印Ｒ方向側のトレッド端１２Ｒから、各々タイヤ赤道面ＣＬに向けて複数の横断溝１８が形成されている。
【００４５】
矢印Ｌ方向側のトレッド端１２Ｌから延びる横断溝１８と、矢印Ｒ方向側のトレッド端１２Ｒから延びる横断溝１８とは、各々直線状に形成され、タイヤ赤道面ＣＬに対して互いに反対方向に傾斜している。
【００４６】
図２に示すように、横断溝１８がタイヤ周方向となす角度θ1 は、４０°〜９０°の範囲内が好ましい。
【００４７】
本実施形態では、図１に示すように矢印Ｌ方向側のトレッド端１２Ｌから延びる横断溝１８はトレッド端１２Ｌ側よりもタイヤ赤道面ＣＬ側が矢印Ｂ方向に位置するように傾斜し、矢印Ｒ方向側のトレッド端１２Ｒから延びる横断溝１８はトレッド端１２Ｒ側よりもタイヤ赤道面ＣＬ側が矢印Ｂ方向に位置するように傾斜しており、図２に示すように横断溝１８のタイヤ周方向となす角度θ1 が７０°に設定されている。
【００４８】
本実施形態では、各横断溝１８は、周方向幅狭溝１６及び周方向幅広溝１４を横断し、軸方向内端部１８Ａは周方向幅広溝１４の間に形成されたタイヤ周方向に沿って連続して延びるリブ状陸部２０内に配置されているが、本発明はこれに限らず、横断溝１８は少なくとも周方向幅広溝１４に連結していれば良く、軸方向内端部１８Ａ必ずしもリブ状陸部２０内に配置されていなくても良い。
【００４９】
また、横断溝１８は、本実施形態のようにトレッド端側１２Ｌ，Ｒよりも軸方向内端部１８Ａ側の方が溝幅が狭く形成されていることが好ましく、また、側壁面が直線状の部分１８Ｂとジグザグ状の部分１８Ｃとが交互に設けられていることが好ましい。
【００５０】
周方向幅広溝１４、周方向幅狭溝１６及び２つの横断溝１８とに囲まれる略菱形の領域には、この横断溝１８とはタイヤ周方向に対して逆方向に傾斜した実質的に直線状に延びる一定幅の副溝２２が形成されて前記略菱形の領域を二分しており、副溝２２のタイヤ軸方向内側には副溝２２、周方向幅広溝１４及び横断溝１８とによって略三角形の第１の陸部２４が区画され、副溝２２のタイヤ軸方向外側には副溝２２、周方向幅狭溝１６及び横断溝１８とによって略台形の第２の陸部２６が区画されている。
【００５１】
さらに、本実施形態の副溝２２は、タイヤ赤道面ＣＬ側が周方向幅広溝１４に連結されている。
【００５２】
図２に示すように、副溝２２がタイヤ周方向となす傾斜角度θ2 は、３０°〜７０°の範囲内が好ましく、略４５°が特に好ましい。本実施形態の副溝２２の傾斜角度θ2 は４５°に設定されている。
【００５３】
また、副溝２２の溝幅は、トレッド中央区域２８内の横断溝１８の溝幅に対して同等以上であることが好ましい。
【００５４】
ここで、本実施形態でいうトレッド中央区域２８とは、周方向幅狭溝１６と周方向幅狭溝１６との間の区域のことである。
【００５５】
なお、周方向幅狭溝１６は、横断溝１８と横断溝１８との間では直線状に延びていることが好ましく、タイヤ周方向に対する角度θ3 は０°〜２０°の範囲内が好ましい。
【００５６】
図２に示すように、本実施形態では、周方向幅狭溝１６のタイヤ周方向に対する角度θ3 が６°に設定されている。
【００５７】
周方向幅狭溝１６のタイヤ周方向に対する角度θ3 が０°以外、即ち、周方向幅狭溝１６をタイヤ周方向に対して傾斜させる場合には、図１に示すように、周方向幅狭溝１６のタイヤ赤道面ＣＬ側の端部から接地するように、タイヤ赤道面ＣＬを挟んで一方の側の周方向幅狭溝１６と他方の側の周方向幅狭溝１６とを互いに反対方向に傾斜させることが好ましい。
【００５８】
本実施形態の空気入りタイヤ１０の回転方向は矢印Ａ方向であるので、副溝２２はタイヤ赤道面ＣＬ側の端部から路面に接地することになる。
【００５９】
また、周方向幅広溝１４において、周方向幅広溝１４の軸方向外側溝壁１４Ａとタイヤ周方向とのなす角度θ4 は０〜２０°が好ましい。本実施形態の空気入りタイヤ１０においては、ウエット路面走行時の周方向幅広溝１４内の水の流れが矢印Ｂ方向となり、水は周方向幅広溝１４内を矢印Ｂ方向に流れると共に、一部が副溝２２へと流れるため、周方向幅広溝１４は、周方向幅広溝１４と副溝２２との連結部分へ向けて除々に溝幅が広がることが好ましい。
【００６０】
このため、本実施形態では、横断溝１８と横断溝１８との間の周方向幅広溝１４の軸方向外側溝壁１４Ａを傾斜させ、周方向幅広溝１４と副溝２２との連結部分へ向けて除々に溝幅を広げている。本実施形態では、軸方向外側溝壁１４Ａの角度θ4 が６°に設定されている。
【００６１】
なお、周方向幅狭溝１６の軸方向外側には、周方向幅狭溝１６と横断溝１８とによって略菱形の第３の陸部３０が区画されている。
【００６２】
図２に示すように、リブ状陸部２０には、矢印Ｌ方向側の端部及び矢印Ｒ方向側の端部から、各々タイヤ赤道面ＣＬに向けてサイプ３２が延びている。
【００６３】
本実施形態のサイプ３２は、ジグザグ形状である。
【００６４】
サイプ３２は、その中心線が同じ側の横断溝１８と平行に設けられている。
【００６５】
第１の陸部２４には、サイプ３６が横断溝１８と平行に複数設けられている。
【００６６】
次に、第２の陸部２６には、サイプ４４が横断溝１８と平行に複数設けられている。
【００６７】
さらに、第３の陸部３０には、サイプ５２が横断溝１８と平行に複数設けられている。
（作用）
次に、本実施形態の空気入りタイヤ１０の作用を説明する。
（１）  本実施形態の空気入りタイヤ１０は、タイヤ赤道面ＣＬの両側で横断溝１８の傾斜方向が異なると共に、副溝１６の傾斜方向が異なり、トレッドパターンが方向性パターンとなっているので、高いウエット性能（ハイドロプレーニング性）が得られる。
（２）  トレッド１２に一対の周方向幅広溝１４と一対の周方向幅狭溝１６とが設けられているので、雪上での高い直進安定性及びコーナリング性が得られる。（３）  トレッド１２にトレッド端Ｌ，Ｒから各々リブ状陸部２０にかけて延びる横断溝１８がタイヤ周方向に複数配置されているので、高いトラクション性能及びブレーキ性能が得られる。
（４）  周方向幅広溝１４、周方向幅狭溝１６及び２つの横断溝１８とに囲まれる略菱形の領域を二分する直線状の副溝２２によりウエット時の高い排水性が得られる。さらに、タイヤが接地面６０に踏み込む際、タイヤ周方向に対して傾斜した副溝２２の溝エッジが連続して接地面に突入するので、コーナリング時の高いトラクション性能が得られる。
【００６８】
また、タイヤ周方向に対して傾斜して延びる副溝２２により、氷雪上での高いコーナリング性能が得られる。
（５）  タイヤ赤道面ＣＬ上に、タイヤ周方向に連続するリブ状陸部２０が設けられているので、トレッド１２のタイヤ赤道面ＣＬ付近の剛性を確保することができ、主に氷上での高いブレーキ性能及びトラクション性能が得られる。
【００６９】
なお、タイヤ赤道面ＣＬ付近に横溝で区画されたブロック状の陸部を形成すると、リブ形状の陸部よりもブロック形状の陸部の方がタイヤ周方向の剛性は低いため、接地したブロック状の陸部に倒れ込みが生じ、この結果、陸部の一部に路面と接地しない部分が生じ、氷上でのブレーキ性能及びトラクション性能は低下する。
（６）  横断溝１８に、側壁面が直線状の部分１８Ｂとジグザグ状の部分１８Ｃとを交互に設けた理由は、ジグザグ状の部分１８Ｃばかりであるとコナーリング時のハイドロプレーニング性能を悪化させるためであり、直線状の部分１８Ｂとジグザグ状の部分１８Ｃとを交互に設けて横方向のエッジ成分とバランスをとることによってコーナリング時のハイドロプレーニング性能の確保と雪上での耐横滑り性能の向上の両立を図ることができる。
（７）  横断溝１８の溝幅を、トレッド端側１２Ｌ，Ｒよりも軸方向内端部１８Ａの方で狭くしたので、接地圧の比較的高いトレッド中央区域２８のネガティブ率を低く抑えることができ、高い氷上ブレーキ性能を得ることができる。
（８）  副溝２２のタイヤ周方向となす傾斜角度θ2 を３０〜７０°の範囲内に設定したのは、副溝２２（１本当たり）が最も連続して接地面６０に突入し易い角度となるからである。
【００７０】
なお、副溝２２の傾斜角度θ2 を４５°に設定すると、トラクション時にも有効に働き、コーナリング時にも有効に働くことになり、前後、横性能とも両立できる設定となる。
（９）  周方向幅狭溝１６のタイヤ周方向に対する角度θ3 を０〜２０°の範囲内に設定するのは、角度θ3 が０°のときは、この周方向幅狭溝１６の前後方向のエッジ成分は零だがショルダー部付近、即ち、本実施形態では第３の陸部３０の耐偏摩耗性（いわゆるヒール・アンド・トウ摩耗性）が向上し、角度θ3 が２０°を越えると、タイヤ軸方向エッジ成分は増加するが第３の陸部３０の耐偏摩耗性が若干低下するからである。
【００７１】
したがって、周方向幅狭溝１６の角度θ3 を０〜２０°の範囲内に設定することにより、タイヤ軸方向エッジ成分の確保とショルダー部付近の耐偏摩耗性とを両立することができる。
（１０）  周方向幅広溝１４の軸方向外側溝壁１４Ａとタイヤ周方向とのなす角度θ4 を０〜２０°の範囲内に設定するのは、角度θ4 が０°のときには、この軸方向外側溝壁１４Ａのエッジ成分は零であるが、第１の陸部２４の耐偏摩耗性（いわゆるヒール・アンド・トウ摩耗性）が向上し、角度θ4 が２０°を越えると、タイヤ軸方向のエッジ成分は増加するが第１の陸部２４の耐偏摩耗性が若干落ちるからである。
【００７２】
したがって、周方向幅広溝１４の角度θ4 を０〜２０°の範囲内に設定することにより、前後エッジ成分と第１の陸部２４の耐偏摩耗性とを両立することができる。
（１１）  ウエット走行時に接地面６０内にある周方向幅広溝１４内の水は、一部が周方向幅広溝１４の内部をそのまま矢印Ｂ方向へ流れ、他の一部が副溝２２へと流れるが、本実施形態のように第１の陸部２４に対応する周方向幅広溝１４の軸方向外側溝壁１４Ａに角度をつけると、副溝２２と周方向幅広溝１４との接続部分に向けて周方向幅広溝１４の溝幅が拡がるので第１の陸部２４内の水がスムーズに流れ、ウエット走行時の排水性が向上する。
（１２）  副溝２２の幅をトレッド中央区域２８内の横断溝１８の溝幅に対して同等以上とすることにより、副溝２２の排水性が向上して高いウエット性能が得られ、また、特に雪に対する食いつきが向上し、雪上での高いトラクション性能が得られる。
（１３）  本実施形態の空気入りタイヤ１０では、トレッド１２のリブ状陸部２０にサイプ３２、第１の陸部２４にサイプ３６、第２の陸部２６にサイプ４４、第３の陸部３０にサイプ５２を形成したので、スタッドレスタイヤとしての高い氷雪上性能が得られる。
（１４）  サイプ３２，３６，４４，５２は各々ジグザグ形状であるので、タイヤ周方向及びタイヤ軸方向ともにエッジ成分を増加でき、これにより、氷上での特にコーナリング性能を向上することができる。
（１５）  サイプ３２，３６，４４，５２，がジグザグ形状であり、振幅中心の軌跡を連続した形状が直線状としたので、この空気入りタイヤ１０を成形するモールドのブレード（サイプを形成する板材）を製造し易くなる。
【００７３】
（試験例）
本発明の効果を確かめるために、本発明の適用された実施例のタイヤと、従来例のタイヤを用意し、雪上フィーリング、雪上ブレーキ性能、雪上トラクション性能、氷上フィーリング、氷上ブレーキ性能及びウエットハイドロプレーニング性能について比較を行った。
【００７４】
実施例のタイヤ：実施形態で説明したパターンを有するタイヤ（タイヤサイズ：１９５／６５Ｒ１５）である（図１参照）。横断溝の溝幅はトレッド端部で８mm、１／４点付近で３．５mm、トレッド中央部で２．５mmであり、副溝の溝幅は６．２mmである。なお、１／４点とは、接地幅を４等分した時、タイヤ幅方向最外側の領域とその内側に隣接する領域との境界部分のことを指す。
【００７５】
横断溝の角度θ1 は７０°、副溝の角度θ2 は４５°、周方向幅狭溝の角度θ3 は６°、周方向幅広溝の軸方向外側溝壁の角度θ4 は６°である。サイプの幅は全て０．５mmであり、ジグザグの振幅は１．６mm、周期は３．２mmである。また、トレッドのネガティブ率は３７．０％である。
【００７６】
従来例のタイヤ：図３に示すように、複数のタイヤ周方向にジグザグ状に延びる周方向溝１００、直線状に延びる周方向溝１０２及びタイヤ軸方向に延びる横溝１０４によって区画されるブロック状の陸部１０６をトレッド１０８に多数設けたタイヤ（タイヤサイズ：１９５／６５Ｒ１５）であり、各陸部１０６には、タイヤ軸方向に沿って直線状に延びる複数のサイプ１１０がタイヤ周方向にほぼ等間隔に形成されている。
【００７７】
周方向溝１００の溝幅は７mm、周方向溝１０２の溝幅は７．５mm、横溝１０４の溝幅は７．５mm、サイプ１１０の幅は０．５mmである。また、トレッドのネガティブ率は４５％である。
１）  雪上フィーリング：圧雪路面のテストコースにおける制動性、発進性、直進性、コーナリング性の総合フィーリンング評価。評価は、従来例を１００とする指数で表しており、指数が大きいほど雪上フィーリングに優れていることを示す。
２）  雪上ブレーキ性能：圧雪上を４０km/hからフル制動したときの制動距離を計測した。評価は、従来例の制動距離の逆数を１００とする指数で表した。指数が大きいほど雪上ブレーキ性能に優れていることを示す。
３）  雪上トラクション性能：圧雪上で５０ｍの距離での発進からの加速タイムを計測した。評価は、従来例の加速タイムの逆数を１００とする指数で表した。指数が大きいほど雪上トラクション性能に優れていることを示す。
５）  氷上フィーリング：氷盤路面のテストコースにおける制動性、発進性、直進性、コーナリング性の総合フィーリンング評価。評価は、従来例を１００とする指数で表しており、指数が大きいほど氷上フィーリングに優れていることを示す。
５）  氷上ブレーキ性能：氷盤上を２０km/hからフル制動したときの制動距離を計測した。評価は、従来例の制動距離の逆数を１００とする指数で表した。指数が大きいほど雪上ブレーキ性能に優れていることを示す。
６）  ウエットハイドロプレーニング性能：水深５mmのウエット路通過時のハイドロプレーニング発生限界速度のフィーリング評価。評価は従来例を１００とする指数で表しており、指数が大きいほど性能に優れていることを示す。
【００７８】
【表１】
0004404398.tif 000002
試験の結果、本発明の適用された実施例のタイヤは、従来のタイヤに比較して、雪上フィーリング、雪上ブレーキ性能、雪上トラクション性能、氷上フィーリング、氷上ブレーキ性能及びウエットハイドロプレーニング性能の何れにおいても性能が向上した。
【００７９】
【発明の効果】
以上説明したように、本発明の空気入りタイヤは上記のようにトレッドの溝形状を最適化したので、雪上性能も氷上性能もバランス良く向上させ、かつトラクション方向、横方向性能共に向上させることができる、という優れた効果を有する。
【図面の簡単な説明】
【図１】  本発明の一実施形態に係る空気入りタイヤのトレッドの平面図である。
【図２】  図１に示すトレッドの部分拡大図である。
【図３】  従来例の空気入りタイヤのトレッドの平面図である。
【符号の説明】
１０    空気入りタイヤ
１２    トレッド（トレッド踏面部）
１４    周方向幅広溝
１４Ａ  軸方向外側溝壁（タイヤ軸方向外側溝壁）
１６    周方向幅狭溝
１８    横断溝
１８Ａ  軸方向内端部（タイヤ軸方向内側端部）
１８Ｂ  直線状の部分（直線部分）
１８Ｃ  ジグザグ状の部分（屈曲部分）
２０    リブ状陸部（周方向リブ）
２２    副溝
２４    第１の陸部
２６    第２の陸部
３０    第３の陸部
【図１】
0004404398.tif 000003
【図２】
0004404398.tif 000004
【図３】
0004404398.tif 000005